(57)【要約】【課題】タッチパネルを備え、しかも前記タッチパネルを含む厚さを薄くすることができる液晶表示素子を提供する。【解決手段】観察側とその反対側の一対の基板１，２間に封入された液晶層４と、前記一対の基板１，２の対向する内面それぞれに互いに対向させて設けられ、液晶層４に電界を印加して液晶分子の配向状態を制御する複数の画素領域を形成する第１と第２の電極５，６と、観察側基板１の外面に対して間隙を存して対向配置され、周縁部を枠状スペーサ１０を介して観察側基板１に支持された観察側偏光板８と、観察側基板１の外面に形成された第１の抵抗膜１１と、観察側偏光板８の観察側基板１と対向する内面に設けられ、観察側偏光板８の外面に局部的に加えられるタッチ圧により観察側偏光板８とともに撓み変形して第１の抵抗膜１１に局部的に接触する第２の抵抗膜１２とを備えた。【選択図】図１
2007171501.tif 000002
【特許請求の範囲】
【請求項１】
観察側とその反対側の一対の基板間に封入された液晶層と、前記一対の基板の対向する内面それぞれに互いに対向させて設けられるか、或いは一方の基板の内面に互いに絶縁して設けられ、前記液晶層に電界を印加して液晶分子の配向状態を制御する複数の画素領域を形成する第１と第２の電極と、前記観察側の基板の外面に対して間隙を存して対向配置され、周縁部を枠状スペーサを介して前記観察側基板に支持された観察側偏光板と、前記観察側基板の外面に形成された第１の抵抗膜と、前記観察側偏光板の前記観察側基板と対向する内面に設けられ、前記観察側偏光板の外面に局部的に加えられるタッチ圧により前記観察側偏光板とともに撓み変形して前記第１の抵抗膜に局部的に接触する第２の抵抗膜とを備えたことを特徴とする液晶表示素子。
【請求項２】
観察側偏光板は、その内面に積層された表示特性を補償するための光学補償フィルムを備えており、その光学補償フィルム面に第２の抵抗膜が形成されていることを特徴とする請求項１に記載の液晶表示素子。
【請求項３】
観察側偏光板は、その内面に積層された表示特性を補償するための光学補償フィルムと、前記光学補償フィルム面にさらに積層された透明フィルムとを備えており、前記透明フィルム面に第２の抵抗膜が形成されていることを特徴とする請求項１に記載の液晶表示素子。
【発明の詳細な説明】
【技術分野】
【０００１】
この発明は、タッチパネルを備えた液晶表示素子に関する。
【背景技術】
【０００２】
タッチ入力用のタッチパネルは、ガラス板または樹脂フィルムからなる透明基板の一方の面に透明な抵抗膜を形成した一対のシートを、それぞれの抵抗膜形成面を間隙をおいて互いに対向させて配置した構成となっている（特許文献１参照）。
【０００３】
このタッチパネルは、前記一対のシートのいずれか一方の外面をタッチ面としたものであり、そのタッチ面の任意の位置がタッチペン等によりタッチされたときに、前記一方のシートのタッチ位置に対応する部分が撓み変形し、前記一方のシートの抵抗膜が局部的に他方のシートの抵抗膜に接触する。
【０００４】
そのため、前記一対のシートの抵抗膜のうち、一方の抵抗膜の一方の方向の両端間と、他方の抵抗膜の前記一方の方向に対して直交する方向の両端間とに一定値の電圧を交互に印加し、前記一方の抵抗膜に電圧を印加したときの他方の抵抗膜の一端の電圧値と、前記他方の抵抗膜に電圧を印加したときの前記一方の抵抗膜の一端の電圧値とを測定することにより、これらの電圧値に基づいて、タッチ点の前記一方の方向とその方向に対して直交する方向の座標を検出することができる。
【特許文献１】特開２０００−１６３２０８号公報
【発明の開示】
【発明が解決しようとする課題】
【０００５】
ところで、液晶表示素子には、その観察側に前記タッチパネルを配置したものがある。
【０００６】
しかし、前記タッチパネルは、透明基板の一方の面に抵抗膜を形成した一対の抵抗膜シートを、それぞれの抵抗膜形成面を間隙をおいて互いに対向させて配置したものであり、前記一対の抵抗膜シートの両方の厚さに、これらの抵抗膜シート間の間隙の高さを加えた厚さを有している。
【０００７】
そのため、観察側に前記タッチパネルを配置した液晶表示素子は、タッチパネルを含む厚さが厚い。
【０００８】
この発明は、タッチパネルを備え、しかも前記タッチパネルを含む厚さを薄くすることができる液晶表示素子を提供することを目的としたものである。
【課題を解決するための手段】
【０００９】
この発明の液晶表示素子は、観察側とその反対側の一対の基板間に封入された液晶層と、前記一対の基板の対向する内面それぞれに互いに対向させて設けられるか、或いは一方の基板の内面に互いに絶縁して設けられ、前記液晶層に電界を印加して液晶分子の配向状態を制御する複数の画素領域を形成する第１と第２の電極と、前記観察側の基板の外面に対して間隙を存して対向配置され、周縁部を枠状スペーサを介して前記観察側基板に支持された観察側偏光板と、前記観察側基板の外面に形成された第１の抵抗膜と、前記観察側偏光板の前記観察側基板と対向する内面に設けられ、前記観察側偏光板の外面に局部的に加えられるタッチ圧により前記観察側偏光板とともに撓み変形して前記第１の抵抗膜に局部的に接触する第２の抵抗膜とを備えたことを特徴とする。
【００１０】
この液晶表示素子においては、前記観察側偏光板に、その内面に積層された表示特性を補償するための光学補償フィルムを備えさせ、その光学補償フィルム面に前記第２の抵抗膜を形成するのが望ましい。
【００１１】
さらに、この液晶表示素子においては、前記観察側偏光板に、その内面に積層された表示特性を補償するための光学補償フィルムと、前記光学補償フィルム面にさらに積層された透明フィルムとを備えさせ、前記透明フィルム面に前記第２の抵抗膜を形成するのが好ましい。
【発明の効果】
【００１２】
この発明の液晶表示素子は、観察側偏光板を、観察側基板の外面に対して間隙を存して配置してその周縁部を枠状スペーサを介して前記観察側基板に支持させ、前記観察側基板の外面に第１の抵抗膜を形成し、前記観察側偏光板の前記観察側基板と対向する内面に、前記観察側偏光板の外面に局部的に加えられるタッチ圧により前記観察側偏光板とともに撓み変形して前記第１の抵抗膜に局部的に接触する第２の抵抗膜を設けることにより、前記観察側基板の外面をタッチ面としたタッチパネルを形成したものである。
【００１３】
この液晶表示素子は、前記観察側基板の外面に前記第１の抵抗膜を形成し、前記観察側の基板の外面に対して間隙を存して対向配置され、周縁部を枠状スペーサを介して前記観察側基板に支持された観察側偏光板の内面に前記第２の抵抗膜を設けてタッチパネルを形成したものであるため、前記タッチパネルを含む厚さを薄くすることができる。
【００１４】
この液晶表示素子においては、前記観察側偏光板に、その内面に積層された表示特性を補償するための光学補償フィルムを備えさせ、その光学補償フィルム面に前記第２の抵抗膜を形成するのが望ましく、このようにすることにより、表示品質を向上させ、且つ液晶表示素子の製造を容易にするとともに、前記観察側偏光板を前記光学補償フィルムにより補強し、前記タッチパネルの耐久性を高くすることができる。
【００１５】
さらに、この液晶表示素子においては、前記観察側偏光板に、その内面に積層された表示特性を補償するための光学補償フィルムと、前記光学補償フィルム面にさらに積層された透明フィルムとを備えさせ、前記透明フィルム面に前記第２の抵抗膜を形成するのが好ましく、このようにすることにより、表示品質を向上させ、且つ液晶表示素子の製造を容易にするとともに、前記観察側偏光板を前記光学補償フィルムと透明フィルムとにより補強し、前記タッチパネルの耐久性をさらに高くすることができる。
【発明を実施するための最良の形態】
【００１６】
（第１の実施形態）
図１及び図２はこの発明の第１の実施例を示しており、図１は液晶表示素子の断面図、図２はそのタッチパネルの駆動回路図である。
【００１７】
この液晶表示素子は、図１のように、枠状のシール材３を介して接合された観察側（図において上側）とその反対側の一対の透明基板１，２と、これらの基板１，２間の前記シール材３で囲まれた領域に封入された液晶層４と、前記一対の基板１，２の対向する内面それぞれに互いに対向させて設けられ、前記液晶層４に電界を印加して液晶分子の配向状態を制御する複数の画素領域を形成する第１と第２の透明電極５，６と、前記観察側の基板１の外面側と反対側の基板２の外面側とに配置された観察側及び反対側の一対の偏光板８，９とからなっている。
【００１８】
この液晶表示素子は、一方の基板、例えば観察側とは反対側の基板２の内面に、複数の画素電極６を行方向及び列方向にマトリックス状に配列させて設け、他方の基板、つまり観察側の基板１の内面に、前記複数の画素電極６の配列領域に対向する一枚膜状の対向電極５を設けたアクティブマトリックス液晶表示素子であり、図では省略しているが、前記一方の基板（反対側基板）２の内面には、前記複数の画素電極６にそれぞれ接続された複数のＴＦＴ（薄膜トランジスタ）と、各行のＴＦＴにゲート信号を供給する複数の走査ラインと、各列のＴＦＴにデータ信号を供給する複数のデータラインが設けられている。
【００１９】
また、前記他方の基板（観察側基板）１の内面には、前記複数の画素にそれぞれ対応させて赤、緑、青の３色のカラーフィルタ７Ｒ，７Ｇ，７Ｂが設けられており、前記対向電極５は、前記カラーフィルタ７Ｒ，７Ｇ，７Ｂの上に形成されている。
【００２０】
さらに、前記一対の基板１，２の内面には、前記電極５，６を覆って配向膜（図示せず）が設けられており、前記液晶層４の液晶分子は、前記一対の基板１，２間において、前記配向膜により規定される配向状態に配向している。
【００２１】
この液晶表示素子は、液晶分子をツイスト配向させたＴＮまたはＳＴＮ型、液晶分子を基板１，２面に対して実質的に垂直に配向させた垂直配向型、液晶分子をツイストさせることなく基板１，２面に対して実質的に平行に配向させた水平配向型、液晶分子をベンド配向させるベンド配向型のいずれか、あるいは強誘電性または反強誘電性液晶表示素子であり、前記一対の偏光板８，９は、それぞれの透過軸の向きを、良好なコントラストが得られるように設定して配置されている。
【００２２】
前記一対の偏光板８，９のうち、観察側とは反対側の偏光板９は、前記反対側基板２の外面に貼付けられており、観察側の偏光板８は、前記観察側基板１の外面に対して間隙ａを存して対向配置され、その周縁部を、前記複数の画素がマトリックス状に配列した画面領域を囲む枠状スペーサ１０を介して前記観察側基板１に支持されている。
【００２３】
そして、前記観察側基板１の外面には、前記画面領域の全域に対応する一枚膜状の第１の透明な抵抗膜１１が形成され、前記観察側偏光板８の前記観察側基板１と対向する内面には、前記観察側偏光板８の外面に局部的に加えられるタッチ圧により前記観察側偏光板８とともに撓み変形して前記第１の抵抗膜１１に局部的に接触する第２の透明な抵抗膜１２が設けられている。
【００２４】
なお、前記一対の基板１，２のうち、少なくとも観察側基板１はガラスからなっており、前記第１の抵抗膜１１は、前記観察側基板１の外面に成膜されたＩＴＯ膜により形成されている。
【００２５】
また、前記一対のうち、少なくとも観察側偏光板８の偏光層の支持体は、光学的に等方性なポリカーボネイト、ポリエーテルスルホン等の樹脂フィルムからなっており、前記第２の抵抗膜１２は、前記観察側偏光板８の前記支持体の外面に成膜されたＩＴＯ膜により形成されている。
【００２６】
さらに、図１では省略しているが、前記第１と第２の抵抗膜１１，１２のいずれか一方の膜面上には、これらの抵抗膜１１，１２間の間隔を規定する複数の柱状スペーサが行方向及び列方向に予め定めたピッチで設けられている。
【００２７】
そのため、前記第２の抵抗膜１１は、無加圧状態では前記第１の抵抗膜１１に対して離間し、前記観察側偏光板８の外面の任意の箇所をタッチペン３０等によりタッチしたときに、そのタッチ圧により前記観察側偏光板８とともに撓み変形し、前記タッチペン３０等によるタッチ点に対応する部分において前記第１の抵抗膜１１に局部的に接触する。
【００２８】
また、前記第１の抵抗膜１１には、その膜面に沿った互いに直交する２つの方向の一方、例えば前記画面の縦軸（以下、Ｙ軸という）方向の両端縁にそれぞれ、その縁部の全長にわたって、低抵抗金属膜からなる帯状電極１１ａ，１１ｂが設けられており、前記第２の抵抗膜１２には、前記２つの方向の他方、つまり前記画面の横軸（以下、Ｘ軸という）方向の両端縁にそれぞれ、その縁部の略全長にわたって、低抵抗金属膜からなる帯状電極１２ａ，１２ｂ（図２参照）が設けられている。
【００２９】
前記第１の抵抗膜１１の前記Ｙ軸方向の両端縁の帯状電極１１ａ，１１ｂと、前記第２の抵抗膜１２の前記Ｘ軸方向の両端縁の帯状電極１２ａ，１２ｂは、図２に示したタッチパネル駆動回路１５に接続される。
【００３０】
前記タッチパネル駆動回路１５は、前記第２の抵抗膜１２のＸ軸方向の両端の帯状電極１２ａ，１２ｂ間と、前記第１の抵抗膜１１のＹ軸方向の両端縁の帯状電極１１ａ，１１ｂ間とに一定値の電圧を交互に印加する電圧印加回路１６と、前記第２の抵抗膜１２が前記第１の抵抗膜１１に局部的に接触したときに前記電圧印加回路１６上の予め定めた点Ｐと前記第２の抵抗膜１２のＸ軸方向の一端の帯状電極１２ａまたは前記第１の抵抗膜１１のＹ軸方向の一端の帯状電極１１ａとの間に生じる電圧を測定する電圧測定系２４と、その測定値に基づいて前記タッチ点の座標を検出する座標検出手段２９とを備えている。
【００３１】
前記電圧印加回路１６は、定電圧電源１７と、前記第１の抵抗膜１１のＹ軸方向の一端の帯状電極１１ａと前記第２の抵抗膜１２のＸ軸方向の一端の帯状電極１２ａとにそれぞれ接続され、第１の接続切換スイッチ２０を介して前記定電圧電源１７の一方の極（図では−極）に選択的に接続される第１の抵抗膜接続配線１８，１９と、前記第１の抵抗膜１１のＹ軸方向の他端の帯状電極１１ｂと前記第２の抵抗膜１２のＸ軸方向の他端の帯状電極１２ｂとにそれぞれ接続され、第２の接続切換スイッチ２３を介して前記定電圧電源１７の他方の極（図では＋極）に選択的に接続される第２の抵抗膜接続配線２１，２２とからなっている。なお、図２に示した定電圧電源１７は直流電源であるが、この定電圧電源１７は交番する電圧を供給する電源でもよい。
【００３２】
また、前記電圧測定系２４は、前記第１の抵抗膜１１のＹ軸方向の一端の帯状電極１１ａと前記第２の抵抗膜１２のＸ軸方向の一端の帯状電極１２ａとにそれぞれ接続され、第３の接続切換スイッチ２７を介して前記電圧印加回路１６上の予め定めた点Ｐに選択的に接続される第３の抵抗膜接続配線２５，２６と、前記電圧印加回路１６上の点Ｐと前記第３の接続切換スイッチ２７との間に介在された電圧測定手段２８とにより構成されている。
【００３３】
前記電圧印加回路１６は、図示しない制御手段により、予め設定された周期、例えば０．１秒周期で、前記第１と第２の接続切換スイッチ２０，２３を、前記第２の抵抗膜１２のＸ軸方向の両端の帯状電極１２ａ，１２ｂを前記定電圧電源１７に接続する側（図２の状態）と、前記第１の抵抗膜１１のＹ軸方向の両端の帯状電極１１ａ，１１ｂを前記定電圧電源１７に接続する側とに切換えられ、前記第２の抵抗膜１２のＸ軸方向の両端間（帯状電極１２ａ，１２ｂ間）と、前記第１の抵抗膜１１のＹ軸方向の両端間（帯状電極１１ａ，１１ｂ間）とに前記定電圧電源１７の一定値の電圧を交互に印加する。
【００３４】
また、座標検出手段２９は、前記図示しない制御手段により制御され、前記第２の抵抗膜１２のＸ軸方向の両端間に前記電圧を印加したときの前記電圧測定手段２８の測定値に基づいて前記タッチ点のＸ軸方向の座標（以下、Ｘ座標という）を検出し、前記第１の抵抗膜１１のＹ軸方向の両端間に前記電圧を印加したときの前記電圧測定手段２８の測定値に基づいて前記タッチ点のＹ軸方向の座標（以下、Ｙ座標という）を検出する。
【００３５】
前記電圧測定手段２８の測定値に基づく前記タッチ点のＸ，Ｙ座標の検出は、次のような演算により行なう。
【００３６】
前記定電圧電源１７の電圧値をＶ０、前記第２の抵抗膜１２のＸ軸方向の一端（帯状電極１２ａの内側縁）のＸ座標値を０、前記第２の抵抗膜１２のＸ軸方向の他端（帯状電極１２ｂの内側縁）のＸ座標値を１、前記タッチ点のＸ座標をｘ、前記第２の抵抗膜１２のＸ軸方向の両端間（帯状電極１２ａ，１２ｂの内側縁間）の抵抗値をｒｘ、前記電圧測定手段２８の内部抵抗値をＲとすると、前記第２の抵抗膜１２のＸ軸方向の両端間に前記電圧Ｖ０を印加したときの前記電圧測定手段２８の測定電圧値Ｖ（ｘ）は、ｒｘ≪Ｒであるため、
Ｖ（ｘ）＝Ｖ０（１−ｘ）
で表すことができる。
【００３７】
また、前記抵抗膜７のＹ軸方向の一端（帯状電極９ａの内側縁）のＹ座標値を０、前記抵抗膜７のＹ軸方向の他端（帯状電極９ｂの内側縁）のＹ座標値を１、前記タッチ点のＹ座標をｙ、前記抵抗膜７のＹ軸方向の両端間（帯状電極９ａ，９ｂの内側縁間）の抵抗値をｒｙとすると、前記抵抗膜７のＹ軸方向の両端間に前記電圧Ｖ０を印加したときの前記電圧測定手段２５の測定電圧値Ｖ（ｙ）は、ｒｙ≪Ｒであるため、
Ｖ（ｙ）＝Ｖ０（１−ｙ）
で表すことができる。
【００３８】
したがって、前記タッチ点のＸ座標ｘとＹ座標ｙは、
ｘ＝１−Ｖ（ｘ）／Ｖ０
ｙ＝１−Ｖ（ｙ）／Ｖ０
により求めることができる。
【００３９】
すなわち、この液晶表示素子は、前記観察側偏光板８を、前記観察側基板１の外面に対して間隙を存して配置してその周縁部を前記枠状スペーサ１０を介して前記観察側基板に支持させ、前記観察側基板１の外面に第１の抵抗膜１１を形成し、前記観察側偏光板８の前記観察側基板１と対向する内面に、前記観察側偏光板８の外面に局部的に加えられるタッチ圧により前記観察側偏光板８とともに撓み変形して前記第１の抵抗膜１１に局部的に接触する第２の抵抗膜１２を設けることにより、前記観察側基板の外面をタッチ面としたタッチパネルを形成したものである。
【００４０】
この液晶表示素子は、前記観察側基板１の外面に前記第１の抵抗膜１１を形成し、前記観察側基板１の外面に対して間隙を存して対向配置され、周縁部を枠状スペーサ１０を介して前記観察側基板１に支持された観察側偏光板８の内面に前記第２の抵抗膜１２を設けてタッチパネルを形成したものであるため、前記タッチパネルを含む厚さを薄くすることができる。
【００４１】
（第２の実施形態）
図３はこの発明の第２の実施例を示す液晶表示素子の断面図である。なお、この実施例において、上述した第１の実施例と同じものについては、図に同符号を付してその説明を省略する。
【００４２】
この実施例の液晶表示素子は、観察側偏光板８に、その内面に積層された表示特性を補償するための光学補償フィルム１３を備えさせ、その光学補償フィルム１３面に第２の抵抗膜１２を形成したものであり、他の構成は第１の実施例と同じである。
【００４３】
前記光学補償フィルム１３は、例えば、表示のコントラストを高くするための位相差板等のコントラスト補償フィルム、表示の視野を広くするためのディスコティック液晶フィルムまたは二軸位相差板等の視野補償フィルムのいずれか、或いはその両方の積層フィルムからなっている。
【００４４】
そして、この実施例では、前記光学補償フィルム１３の一方の面にＩＴＯ膜を成膜して前記第２の抵抗膜１２を形成し、この光学補償フィルム１３の抵抗膜形成面とは反対面を前記観察側偏光板８の内面に貼付けている。
【００４５】
この液晶表示素子は、前記観察側偏光板８の内面に表示特性を補償するための光学補償フィルム１３を積層しているため、表示のコントラストや視野等の表示品質を向上させることができる。
【００４６】
そして、この液晶表示素子は、前記光学補償フィルム１３面に第２の抵抗膜１２を形成しているため、前記観察側偏光板８の面に直接前記抵抗膜１２を形成する場合に比べて、前記抵抗膜１２の形成を簡単に行なうことができ、したがって、液晶表示素子の製造を容易にすることができる。
【００４７】
しかも、この液晶表示素子は、前記観察側偏光板８を前記光学補償フィルム１３により補強し、前記タッチパネルの耐久性を高くすることができる。
【００４８】
（第３の実施形態）
図４はこの発明の第３の実施例を示す液晶表示素子の断面図である。なお、この実施例において、上述した第１及び第２の実施例と同じものについては、図に同符号を付してその説明を省略する。
【００４９】
この実施例の液晶表示素子は、観察側偏光板８に、その内面に積層された表示特性を補償するための光学補償フィルム１３と、前記光学補償フィルム１３面にさらに積層された光学的に等方性な透明フィルム１４とを備えさせ、前記透明フィルム１４面に第２の抵抗膜１２を形成したものであり、他の構成は第１の実施例と同じである。
【００５０】
この液晶表示素子は、前記観察側偏光板８の内面に前記光学補償フィルム１３と透明フィルム１４とを積層し、前記透明フィルム１４面に前記第２の抵抗膜１２を形成しているため、表示品質を向上させ、且つ液晶表示素子の製造を容易にするとともに、前記観察側偏光板８を前記光学補償フィルム１３と透明フィルム１４とにより補強し、前記タッチパネルの耐久性をさらに高くすることができる。
【００５１】
（他の実施形態）
なお、上述した第１〜第３の実施例の液晶表示素子は、観察側とその反対側とに一対の偏光板８，９を備えた透過型表示素子であるが、この発明は、観察側だけに１枚の偏光板８を備え、反対側基板２の内面または外面に反射膜を設けた反射型液晶表示素子にも適用することができる。
【００５２】
また、上記第１〜第３の実施例の液晶表示素子は、一対の基板２，３の内面それぞれに設けられた電極間に縦電界（液晶層の厚さ方向の電界）を生じさせて液晶分子の配向状態を変化させる縦電界制御型のものであるが、この発明は、前記縦電界制御型に限らず、一対の基板のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型の液晶表示素子にも適用することができる。
【００５３】
さらに、この発明は、複数の画素にそれぞれ対応する赤、緑、青の３色のカラーフィルタを備えた液晶表示素子に限らず、カラーフィルタを備えないフィールドシーケンシャル表示用の液晶表示素子にも適用することができる。
【図面の簡単な説明】
【００５４】
【図１】この発明の第１の実施例を示す液晶表示素子の断面図。
【図２】前記液晶表示素子のタッチパネルの駆動回路図。
【図３】この発明の第２の実施例を示す液晶表示素子の断面図。
【図４】この発明の第３の実施例を示す液晶表示素子の断面図。
【符号の説明】
【００５５】
１，２…基板、３…シール材、４…液晶層、５，６…電極、７Ｒ，７Ｇ，７Ｂ…カラーフィルタ、８，９…偏光板、１０…枠状スペーサ、１１…第１の抵抗膜、１１ａ，１１ｂ…帯状電極、１２…第２の抵抗膜、１２ａ，１２ｂ…帯状電極、１３…光学補償フィルム、１４…透明フィルム、１５…タッチパネル駆動回路。
【図１】
2007171501.tif 000003
【図２】
2007171501.tif 000004
【図３】
2007171501.tif 000005
【図４】
2007171501.tif 000006